(57)【要約】【課題】パネル間の空間部への埃の侵入を抑制し、組み付けを容易にすること。【解決手段】映像を表示する表示パネル２１と、表示パネル２１の外周を覆った枠部２２と、表示パネル２１と対面して配置されるタッチパネルと、枠部２２とタッチパネルとの間に介在して枠部２２とタッチパネルとを接着する接着テープ４と、を備え、枠部２２の角部２２１Ａ、角部２２１Ｂ、角部２２１Ｃに、枠部２２とタッチパネルと接着テープ４とで囲われた空間部により枠部２２の外側と連通する連通路Ｓ１、連通路Ｓ２、連通路Ｓ３を構成し、枠部２２は、他の角部２２１Ｄに、接着テープ４の非貼着領域であり、枠部２２が露出した位置決め部２２３を有する。【選択図】図１
2019117327.tif 000002
【特許請求の範囲】
【請求項１】
映像を表示する表示パネルと、
前記表示パネルの外周を覆った枠部と、
前記表示パネルと対面して配置されるカバーパネルと、
前記枠部と前記カバーパネルとの間に介在して前記枠部と前記カバーパネルとを接着する接着部材と、
を備え、
前記枠部の角部に、前記枠部と前記カバーパネルと前記接着部材とで囲われた空間により枠部の外側と連通する連通路を構成し、
前記枠部は、他の角部に、前記接着部材の非貼着領域であり、前記枠部が露出した位置決め部を有する、
ことを特徴とする表示装置。
【請求項２】
前記位置決め部は、前記枠部と前記カバーパネルとを接着する際に、前記枠部の前記他の角部に対して前記カバーパネルの角部を押し付けて位置決め可能な形状に形成されている請求項１に記載の表示装置。
【請求項３】
前記連通路は、前記空間部と前記枠部の外側との間に曲部を有する請求項１または２に記載の表示装置。
【請求項４】
前記連通路は、前記曲部の前記枠部の外側と対向する側に貯留部を有する請求項３に記載の表示装置。
【請求項５】
前記連通路は、前記枠部の外側に面する端部において、前記連通路の幅が狭められている請求項１から４のいずれか一項に記載の表示装置。
【請求項６】
前記連通路は、前記枠部の外側と前記曲部との間の気体の流通方向と、前記空間部と前記曲部との間の気体の流通方向との間の角度が鋭角である、請求項３または４に記載の表示装置。
【発明の詳細な説明】
【技術分野】
【０００１】
本発明は、表示装置に関する。
【背景技術】
【０００２】
例えば、ＡＶ一体型のカーナビゲーションシステムまたはカーオーディオなど、表示面を有する表示パネルとタッチパネルとが接着された表示装置が知られている（例えば、特許文献１参照）。特許文献１に記載の技術は、枠状の液晶カバーの前面に部分的にのみタッチパネル本体を貼着し、残余の非貼着部分にはタッチパネル本体に密接する防塵用スペーサーを介在させる。
【先行技術文献】
【特許文献】
【０００３】
【特許文献１】特開２００５−２４２４２３号公報
【発明の概要】
【発明が解決しようとする課題】
【０００４】
接着した表示パネルとタッチパネルとの間には、空間部が形成される。パネル間の空間部で結露を生じないように、空間部と外部との間に空気の流路を確保する必要がある。ところが、流路の大きさまたは形状によっては、空間部へ外部から埃が侵入するおそれがある。そこで、空間部への埃の侵入を抑制することが望まれている。
【０００５】
また、表示装置の組み付け時、タッチパネルを表示パネルに対して位置決めする際に、タッチパネルが表示パネル上の接着部材に接触すると、タッチパネルの位置の調整が困難になるおそれがある。そこで、タッチパネルの位置の調整を可能にし、組み付けを容易にすることが望まれている。
【０００６】
本発明は、上記に鑑みてなされたものであって、パネル間の空間部への埃の侵入を抑制し、組み付けを容易にすることを目的とする。
【課題を解決するための手段】
【０００７】
上述した課題を解決し、目的を達成するために、本発明に係る表示装置は、映像を表示する表示パネルと、前記表示パネルの外周を覆った枠部と、前記表示パネルと対面して配置されるカバーパネルと、前記枠部と前記カバーパネルとの間に介在して前記枠部と前記カバーパネルとを接着する接着部材と、を備え、前記枠部の角部に、前記枠部と前記カバーパネルと前記接着部材とで囲われた空間により枠部の外側と連通する連通路を構成し、前記枠部は、他の角部に、前記接着部材の非貼着領域であり、前記枠部が露出した位置決め部を有することを特徴とする。
【発明の効果】
【０００８】
本発明によれば、パネル間の空間部への埃の侵入を抑制し、組み付けを容易にすることができるという効果を奏する。
【図面の簡単な説明】
【０００９】
【図１】図１は、第一実施形態に係る表示装置の表示パネルと接着部材とを示す正面図である。
【図２】図２は、第一実施形態に係る表示装置の分解斜視図である。
【図３】図３は、第一実施形態に係る表示装置の角部における表示パネルと接着部材とを示す部分拡大図である。
【図４】図４は、第一実施形態に係る表示装置の角部における表示パネルと接着部材とを示す部分拡大図である。
【図５】図５は、第一実施形態に係る表示装置の角部における表示パネルと接着部材とを示す部分拡大図である。
【図６】図６は、第一実施形態に係る表示装置の角部における表示パネルと接着部材とを示す部分拡大図である。
【図７】図７は、第一実施形態に係る表示装置の断面図である。
【図８】図８は、第一実施形態に係る表示装置の断面図である。
【図９】図９は、第二実施形態に係る表示装置の角部における表示パネルと接着部材とを示す部分拡大図である。
【図１０】図１０は、第三実施形態に係る表示装置の角部における表示パネルと接着部材とを示す部分拡大図である。
【発明を実施するための形態】
【００１０】
以下に添付図面を参照して、本発明に係る表示装置１の実施形態を詳細に説明する。なお、以下の実施形態により本発明が限定されるものではない。
【００１１】
図１は、第一実施形態に係る表示装置の表示パネルと接着部材とを示す正面図である。図２は、第一実施形態に係る表示装置の分解斜視図である。図３は、第一実施形態に係る表示装置の角部における表示パネルと接着部材とを示す部分拡大図である。図４は、第一実施形態に係る表示装置の角部における表示パネルと接着部材とを示す部分拡大図である。図５は、第一実施形態に係る表示装置の角部における表示パネルと接着部材とを示す部分拡大図である。図６は、第一実施形態に係る表示装置の角部における表示パネルと接着部材とを示す部分拡大図である。表示装置１は、例えば、ＡＶ一体型のカーナビゲーションシステムまたはカーオーディオなどにおいて映像を表示する。
【００１２】
以下の説明において、各方向は、表示装置１を車両に搭載した状態で定義する。前後方向とは、車両直進時の進行方向と平行な方向であり、ウインドシールドから運転席に向かう側を前後方向の「前」、運転席からウインドシールドに向かう側を前後方向の「後」とする。前後方向を、Ｘ軸方向とする。左右方向とは、前後方向に対して水平に直交する方向である。ウインドシールドへ向かって、左手側が「左」、右手側が「右」である。左右方向を、Ｙ軸方向とする。上下方向とは、前後方向および左右方向に対して直交する方向である。上下方向を、Ｚ軸方向とする。したがって、前後方向、左右方向および鉛直方向は、３次元で直交する。
【００１３】
表示装置１は、運転席に面して配置される。表示装置１は、表示パネルユニット２と、タッチパネル（カバーパネル）３と、接着テープ（接着部材）４とを有する。
【００１４】
表示パネルユニット２は、例えば、液晶ディスプレイ（ＬＣＤ：Ｌｉｑｕｉｄ  Ｃｒｙｓｔａｌ  Ｄｉｓｐｌａｙ）又は有機ＥＬ（Ｏｒｇａｎｉｃ  Ｅｌｅｃｔｒｏ−Ｌｕｍｉｎｅｓｃｅｎｃｅ）ディスプレイを含むディスプレイを有するユニットである。表示パネルユニット２は、映像を表示する。表示パネルユニット２は、表示パネル２１と枠部２２とを有する。
【００１５】
表示パネル２１は、映像を表示するディスプレイ本体である。表示パネル２１は、表示面が運転席と向かい合って配置される。本実施形態では、表示パネル２１は、矩形の平面状に形成されている。
【００１６】
枠部２２は、表示パネル２１の外周を覆う枠状に配置されている。言い換えると、枠部２２の内側に、表示パネル２１が配置されている。Ｘ軸方向視において、枠部２２は、表示パネル２１の上下左右に張り出している。本実施形態では、枠部２２は、表示パネル２１に対応した開口を有する壁部２２１と壁部２２１の周縁部からＸ軸方向に立設された側壁部２２２とが一体に形成されている。枠部２２は、例えば、樹脂材で構成されている。
【００１７】
壁部２２１は、枠状に形成されている。壁部２２１は、一対の右壁部２２１１および左壁部２２１２と、一対の上壁部２２１３および下壁部２２１４とが一体に形成されている。右壁部２２１１と上壁部２２１３との接続部を角部２２１Ａという。右壁部２２１１と下壁部２２１４との接続部を角部２２１Ｂという。左壁部２２１２と下壁部２２１４との接続部を角部２２１Ｃという。左壁部２２１２と上壁部２２１３との接続部を角部（他の角部）２２１Ｄという。
【００１８】
壁部２２１は、角部２２１Ｄにおいて、接着テープ４が貼り付けられず、壁部２２１が露出する位置決め部２２３を有する。
【００１９】
側壁部２２２は、筒状に形成されている。側壁部２２２は、壁部２２１の周縁からＸ軸方向に立設されている。言い換えると、筒状の側壁部２２２のＸ軸方向の中間部に、壁部２２１が配置されている。側壁部２２２は、右壁部２２１１からＸ軸方向に立設された右側壁部２２２１と、左壁部２２１２からＸ軸方向に立設された左側壁部２２２２と、上壁部２２１３からＸ軸方向に立設された上側壁部２２２３と、下壁部２２１４からＸ軸方向に立設された下側壁部２２２４とが一体に形成されている。
【００２０】
位置決め部２２３は、表示パネルユニット２にタッチパネル３を組み付ける際に、表示パネル２１に対してタッチパネル３を押し当てながら位置決めする部分である。位置決め部２２３は、表示パネルユニット２とタッチパネル３とを接着する際に、角部２２１Ｄに対してタッチパネル３を押し付けて位置決め可能な形状に形成されている。本実施形態では、位置決め部２２３の寸法は、例えば、縦３ｍｍ程度以上、横５ｍｍ程度以下の矩形状に形成されている。位置決め部２２３は、壁部２２１において接着テープ４が貼り付けられていない、接着テープ４の非貼付領域である。本実施形態では、位置決め部２２３は、表示パネル２１の上側の端部２１ｂより上側で左側の端部２１ｄより左側の領域である。
【００２１】
タッチパネル３は、表示パネル２１と対面して配置されるタッチ式の入力装置である。タッチパネル３は、表示パネル２１に対応したタッチ操作を検出する検出領域を有する。タッチパネル３は、矩形の平面状に形成されている。本実施形態では、タッチパネル３は、表示パネル２１の外形より大きい外形を有する。
【００２２】
接着テープ４は、枠部２２の壁部２２１とタッチパネル３との間に介在して、表示パネルユニット２とタッチパネル３とを接着する。接着テープ４は、表面と表面と反対側の裏面とに接着剤が塗布されている。本実施形態では、接着テープ４は、４本の接着テープ（接着部材）４１と接着テープ（接着部材）４２と接着テープ（接着部材）４３と接着テープ（接着部材）４４とを含む。４本の接着テープ４１と接着テープ４２と接着テープ４３と接着テープ４４との区別を特に要しない場合、接着テープ４として説明する。
【００２３】
接着テープ４１は、上壁部２２１３にＹ軸方向に沿って貼り付けられている。接着テープ４１は、右側の端部４１ａが表示パネル２１の右側の端部２１ａより右側に位置している。接着テープ４１は、左側の端部４１ｂが表示パネル２１の左側の端部２１ｄとＹ軸方向における同程度の位置にある。
【００２４】
接着テープ４２は、右壁部２２１１にＺ軸方向に沿って貼り付けられている。接着テープ４２は、上側の端部４２ａが表示パネル２１の上側の端部２１ｂより下側に位置している。接着テープ４２は、上部に延設部４２１が配置されている。延設部４２１は、矩形状に形成されている。延設部４２１のＹ軸方向の幅は、接着テープ４２のＹ軸方向の幅より狭い。延設部４２１は、上側の端部４２１ａが接着テープ４１の上側の端部４１ｃとＺ軸方向における同程度の位置にある。接着テープ４２は、下側の端部４２ｂが表示パネル２１の下側の端部２１ｃより下側に位置している。
【００２５】
接着テープ４３は、下壁部２２１４にＹ軸方向に沿って貼り付けられている。接着テープ４３は、右側の端部４３ａが表示パネル２１の右側の端部２１ａより左側に位置している。接着テープ４３は、右側部に延設部４３１が配置されている。延設部４３１は、矩形状に形成されている。延設部４３１のＺ軸方向の幅は、接着テープ４３のＺ軸方向の幅より狭い。延設部４３１は、右側の端部４３１ａが接着テープ４２の右側の端部４２ｃとＹ軸方向における同程度の位置にある。接着テープ４３は、左側の端部４３ｂが表示パネル２１の左側の端部２１ｄより右側に位置している。接着テープ４３は、左側部に延設部４３２が配置されている。延設部４３２は、矩形状に形成されている。延設部４３２のＺ軸方向の幅は、接着テープ４３のＺ軸方向の幅より狭い。延設部４３２は、左側の端部４３２ａが接着テープ４４の左側の端部４４ｂとＹ軸方向における同程度の位置にある。
【００２６】
接着テープ４４は、左壁部２２１２にＺ軸方向に沿って貼り付けられている。接着テープ４４は、上側の端部４４ａが表示パネル２１の上側の端部２１ｂより下側に位置している。接着テープ４４は、下側の端部４４ｃが表示パネル２１の下側の端部２１ｃより下側に位置している。
【００２７】
このように構成された接着テープ４は、表示パネル２１を囲んで、枠部２２の壁部２２１に貼り付けられている。壁部２２１に貼り付けられた接着テープ４は、角部２２１Ａと角部２２１Ｂと角部２２１Ｃとに、表示パネル２１とタッチパネル３と接着テープ４とで囲われた図示しない空間部（以下、「パネル間の空間部」という。）と枠部２２の外側とを連通する連通路Ｓ１と連通路Ｓ２と連通路Ｓ３とを有する。連通路Ｓ１と連通路Ｓ２と連通路Ｓ３とは、枠部２２とタッチパネル３と接着テープ４とで囲われた空間により枠部２２の外側と連通する。
【００２８】
連通路Ｓ１は、角部２２１Ａに形成されている。連通路Ｓ１は、接着テープ４１の右側部と、接着テープ４２の上部および延設部４２１との間に形成される。連通路Ｓ１は、一つの屈曲部（曲部）を有するＬ字型に形成されている。連通路Ｓ１の一方の端部Ｓ１ａは、表示パネル２１の右上角部２１１に面して、左側方に向かって開口している。連通路Ｓ１の他方の端部Ｓ１ｂは、枠部２２の外側の上方に向かって開口している。連通路Ｓ１の空気の流通方向に対する直交方向の幅は、例えば、３ｍｍ程度以下にすることが好ましい。
【００２９】
連通路Ｓ２は、角部２２１Ｂに形成されている。連通路Ｓ２は、接着テープ４２の下部と、接着テープ４３の右側部および延設部４３１との間に形成される。連通路Ｓ２は、一つの屈曲部を有するＬ字型に形成されている。連通路Ｓ２の一方の端部Ｓ２ａは、表示パネル２１の右下角部２１２に面して、上方に向かって開口している。連通路Ｓ２の他方の端部Ｓ２ｂは、枠部２２の外側の右側方に向かって開口している。連通路Ｓ２の空気の流通方向に対する直交方向の幅は、例えば、３ｍｍ程度以下にすることが好ましい。
【００３０】
連通路Ｓ３は、角部２２１Ｃに配置されている。連通路Ｓ３は、接着テープ４３の左側部および延設部４３２と、接着テープ４４の下部との間に形成される。連通路Ｓ３は、一つの屈曲部を有するＬ字型に形成されている。連通路Ｓ３の一方の端部Ｓ３ａは、表示パネル２１の左下角部２１３に面して、上方に向かって開口している。連通路Ｓ３の他方の端部Ｓ３ｂは、枠部２２の外側の左側方に向かって開口している。連通路Ｓ３の空気の流通方向に対する直交方向の幅は、例えば、３ｍｍ程度以下にすることが好ましい。
【００３１】
また、上述したように壁部２２１に貼り付けられた接着テープ４は、角部２２１Ｄに位置する位置決め部２２３には貼り付けられない。接着テープ４１の左側の端部４１ｂと接着テープ４４の上側の端部４４ａとの間に位置決め部２２３が形成される。
【００３２】
次に、表示装置１の組み付け方法および作用について説明する。表示装置１を車両に組み付ける前に、表示パネルユニット２にタッチパネル３が組み付けられる。表示装置１の組み付け方法は、接着テープ４を表示パネルユニット２に貼り付ける工程と、表示パネルユニット２にタッチパネル３を位置決めする工程と、表示パネルユニット２にタッチパネル３を貼り付ける工程とを含む。
【００３３】
接着テープ４を表示パネルユニット２に貼り付ける工程について説明する。接着テープ４１は、上壁部２２１３にＹ軸方向に沿って貼り付けられる。接着テープ４２は、右壁部２２１１にＺ軸方向に沿って貼り付けられる。接着テープ４３は、下壁部２２１４にＹ軸方向に沿って貼り付けられる。接着テープ４４は、左壁部２２１２にＺ軸方向に沿って貼り付けられる。角部２２１Ａにおいて、接着テープ４１の右側部と、接着テープ４２の上部および延設部４２１とは間隔を空けて貼り付けられる。角部２２１Ａには、連通路Ｓ１が形成される。角部２２１Ｂにおいて、接着テープ４２の下部と、接着テープ４３の右側部および延設部４３１とは間隔を空けて貼り付けられる。角部２２１Ｂには、連通路Ｓ２が形成される。角部２２１Ｃにおいて、接着テープ４３の左側部および延設部４３２と、接着テープ４４の下部とは間隔を空けて貼り付けられる。角部２２１Ｃには、連通路Ｓ３が形成される。角部２２１Ｄにおいて、接着テープ４１の左側の端部４１ｂと接着テープ４４の上側の端部４４ａとは間隔を空けて貼り付けられる。角部２２１Ｄには、位置決め部２２３が形成される。
【００３４】
表示パネルユニット２にタッチパネル３を位置決めする工程について説明する。接着テープ４を表示パネルユニット２に貼り付けた後に実行する。タッチパネル３の左上部３ａを、壁部２２１の位置決め部２２３に押し当てる。そして、タッチパネル３を表示パネル２１に対して適切な配置に位置決めする。このとき、位置決め部２２３には接着テープ４が貼り付けられていないので、タッチパネル３を位置決め部２２３に押し当てても、不用意にタッチパネル３が接着されることが抑制される。
【００３５】
表示パネルユニット２にタッチパネル３を貼り付ける工程について説明する。表示パネルユニット２にタッチパネル３を位置決めした後に実行する。位置決めしたタッチパネル３を表示パネル２１側に押し付けながら、タッチパネル３を接着テープ４に貼り付ける。
【００３６】
このようにして、タッチパネル３が表示パネルユニット２に組み付けられて、表示装置１が組み付けられる。タッチパネル３が表示パネルユニット２に組み付けられた状態の表示装置１（以下、「組み付けられた表示装置１」という。）においては、表示パネル２１とタッチパネル３とが対面する。
【００３７】
組み付けられた表示装置１においては、角部２２１Ａと角部２２１Ｂと角部２２１Ｃとに、パネル間の空間部と枠部２２の外側とを連通する連通路Ｓ１と連通路Ｓ２と連通路Ｓ３とが配置されている。連通路Ｓ１と連通路Ｓ２と連通路Ｓ３とは、同様の作用を有するので、代表として連通路Ｓ１について説明し、連通路Ｓ２と連通路Ｓ３とについては説明を省略する。連通路Ｓ１によってパネル間の空間部と枠部２２の外側とが連通されて、パネル間の空間部の空気と枠部２２の外側の空気とが流通する。
【００３８】
また、枠部２２の外側からパネル間の空間部へ埃が侵入しようとしても、連通路Ｓ１が屈曲しているので、パネル間の空間部へ到達しにくくなっている。
【００３９】
図７、図８を参照して、組み付けられた表示装置１における組み付けの精度について説明する。図７は、第一実施形態に係る表示装置の断面図である。図８は、第一実施形態に係る表示装置の断面図である。位置決め部２２３が配置された角部２２１Ｄにおいて、表示パネルユニット２にタッチパネル３が位置決めされる。これにより、図７に示すように、角部２２１Ｄにおいては、タッチパネル３と左側壁部２２２２との隙間の距離ｄ１が小さくなる。これに対して、角部２２１Ｄ以外の角部２２１Ａと角部２２１Ｂと角部２２１Ｃとにおいては、位置決め部２２３において位置決めされた位置に応じて、タッチパネル３と側壁部２２２との隙間の距離が決まる。例えば、図８に示すにように、角部２２１Ａにおいては、タッチパネル３と右側壁部２２２１との隙間の距離ｄ２は、距離ｄ１より大きくなる。
【００４０】
上述したように、本実施形態は、角部２２１Ａに連通路Ｓ１が形成され、角部２２１Ｂに連通路Ｓ２が形成され、角部２２１Ｃに連通路Ｓ３が形成されている。本実施形態では、連通路Ｓ１と連通路Ｓ２と連通路Ｓ３とがそれぞれ曲部を有する。本実施形態によれば、埃が枠部２２の外側からパネル間の空間部へ到達することを抑制することができる。
【００４１】
本実施形態によれば、連通路Ｓ１と連通路Ｓ２と連通路Ｓ３とによって、パネル間の空間部と枠部２２の外側とが連通される。本実施形態によれば、パネル間の空間部の空気と枠部２２の外側の空気との温度差が低減される。これにより、本実施形態は、パネル間の空間部に結露が生じることを抑制することができる。
【００４２】
本実施形態は、連通路Ｓ１と連通路Ｓ２と連通路Ｓ３とによって、パネル間の空間部の空気と枠部２２の外側の空気との温度差に応じて、表示装置１の上側または下側から空気を効率的に流通させることができる。
【００４３】
本実施形態では、位置決め部２２３には接着テープ４が貼り付けられていない。これにより、本実施形態では、タッチパネル３を位置決め部２２３に押し当てた際に、不用意にタッチパネル３が接着されることを抑制することができる。本実施形態によれば、タッチパネル３を容易に位置決めすることができる。
【００４４】
本実施形態は、位置決め部２２３が配置された角部２２１Ｄにおいて、表示パネルユニット２にタッチパネル３が位置決めされる。これにより、本実施形態によれば、タッチパネル３と左側壁部２２２２との隙間の距離ｄ１が小さくなるように組み付けることができる。本実施形態は、位置決め部２２３に生じる隙間を小さく抑えることにより、位置決め部２２３からパネル間の空間部へ埃が侵入することを規制することができる。
【００４５】
［第二実施形態］
図９を参照しながら、本実施形態に係る表示装置１について説明する。図９は、第二実施形態に係る表示装置の角部における表示パネルと接着部材とを示す部分拡大図である。表示装置１は、基本的な構成は第一実施形態の表示装置１と同様である。以下の説明においては、表示装置１と同様の構成要素には、同一の符号または対応する符号を付し、その詳細な説明は省略する。本実施形態では、連通路Ｓ４の形状が第一実施形態と異なる。本実施形態では、一例として、角部２２１Ａに配置された連通路Ｓ４について説明する。
【００４６】
接着テープ５１は、右側の端部５１ａに湾曲凸部５１１を有する。湾曲凸部５１１は、右側の端部５１ａより右側に半円状に突出して形成されている。
【００４７】
接着テープ５２は、上側の端部５２ａに湾曲凸部５２２を有する。湾曲凸部５２２は、上側の端部５２ａより上側に半円状に突出して形成されている。接着テープ５２の上部に形成された延設部５２１は、左上部に湾曲凸部５２３を有する。湾曲凸部５２３は、延設部５２１より左側に半円状に突出して形成されている。
【００４８】
連通路Ｓ４は、接着テープ５１の右側部と、接着テープ５２および延設部５２１との間に形成される。連通路Ｓ４の一方の端部Ｓ４ａは、湾曲凸部５２２によって通路の幅が狭められている。連通路Ｓ４の他方の端部Ｓ４ｂは、対面して配置された湾曲凸部５１１と湾曲凸部５２３とによって通路の幅が狭められている。連通路Ｓ４には、上側の端部５２ａと延設部５２１と湾曲凸部５２２とによって囲まれた溜まり部（貯留部）Ｔ１が形成されている。
【００４９】
溜まり部Ｔ１は、枠部２２の外側と対向する側に配置されている。溜まり部Ｔ１は、連通路Ｓ４の屈曲部と連通している。溜まり部Ｔ１は、連通路Ｓ４の他方の端部Ｓ４ｂから連通路Ｓ４に侵入した埃の溜まり場である。溜まり部Ｔ１は、第一実施形態における連通路Ｓ１の屈曲部に対応する位置に配置されている。他方の端部Ｓ４ｂから連通路Ｓ４に進入した埃は、溜まり部Ｔ１に浸入する。溜まり部Ｔ１に侵入した埃が一方の端部Ｓ４ａに到達するためには、湾曲凸部５２２の凸部を乗り越える必要がある。
【００５０】
上述したように、本実施形態によれば、連通路Ｓ４は、一方の端部Ｓ４ａと他方の端部Ｓ４ｂとにおいて、連通路Ｓ４の幅が狭められている。本実施形態は、パネル間の空間部へ埃が侵入することを規制することができる。本実施形態は、連通路Ｓ４の出入口部の幅が狭く空気の流速が速くなるので、空気とともに侵入した埃は、溜まり部Ｔ１に突き当たって留まり易くなる。
【００５１】
本実施形態は、連通路Ｓ４の屈曲部に溜まり部Ｔ１が形成されている。本実施形態によれば、連通路Ｓ４へ侵入した埃がパネル間の空間部へ侵入しないように溜まり部Ｔ１に溜め置くことができる。
【００５２】
［第三実施形態］
図１０を参照しながら、本実施形態に係る表示装置１について説明する。図１０は、第三実施形態に係る表示装置の角部における表示パネルと接着部材とを示す部分拡大図である。本実施形態では、連通路Ｓ５の形状が第一実施形態と異なる。本実施形態では、一例として、角部２２１Ａに配置された連通路Ｓ５について説明する。
【００５３】
接着テープ６１は、右側に凸部６１１を有する。凸部６１１は、接着テープ６１の下側の端部６１ａより下方に突出している。凸部６１１は、右下側に台形状に突出して形成されている。
【００５４】
接着テープ６２は、右上側に形成された凸部６２１と切欠部６２２とを有する。凸部６２１は、右上側に台形状に突出して形成されている。凸部６２１は、接着テープ６２の上側の端部６２ａより上方に突出している。切欠部６２２は、接着テープ６２の上側の端部６２ａを切り欠いて形成されている。切欠部６２２は、第一実施形態における連通路Ｓ１の屈曲部に連通する位置に配置されている。
【００５５】
連通路Ｓ５は、凸部６１１と接着テープ６２の上側の端部６２ａと凸部６２１と切欠部６２２との間に形成される。連通路Ｓ５には、切欠部６２２によって溜まり部（貯留部）Ｔ２が形成されている。
【００５６】
溜まり部Ｔ２は、枠部２２の外側と対向する側に配置されている。溜まり部Ｔ２は、連通路Ｓ５の他方の端部Ｓ５ｂから連通路Ｓ５に侵入した埃の溜まり場である。溜まり部Ｔ２は、第一実施形態における連通路Ｓ１の屈曲部に対応する位置に配置されている。連通路Ｓ５の一方の端部Ｓ５ａと溜まり部Ｔ２とを結ぶ線分と、連通路Ｓ５の他方の端部Ｓ５ｂと溜まり部Ｔ２とを結ぶ線分との間の角度は鋭角である。言い換えると、連通路Ｓ５は、枠部２２の外側と屈曲部との間の空気の流通方向と、パネル間の空間部と屈曲部との間の空気の流通方向との間の角度が鋭角である。
【００５７】
上述したように、本実施形態によれば、連通路Ｓ５は、連通路Ｓ５の一方の端部Ｓ５ａと溜まり部Ｔ２とを結ぶ線分と、連通路Ｓ５の他方の端部Ｓ５ｂと溜まり部Ｔ２とを結ぶ線分との間の角度は鋭角である。本実施形態では、連通路Ｓ５に流入した空気は、溜まり部Ｔ２において渦を生じやすくなる。これにより、本実施形態によれば、連通路Ｓ５の他方の端部Ｓ５ｂから侵入した埃が、一方の端部Ｓ５ａへ到達することを低減することができる。本実施形態によれば、連通路Ｓ５へ侵入した埃がパネル間の空間部へ侵入しないように溜まり部Ｔ２に確実に溜め置くことができる。
【００５８】
さて、これまで本発明に係る表示装置１について説明したが、上述した実施形態以外にも種々の異なる形態にて実施されてよいものである。上記で説明した表示装置１の構成は、一例であり、これに限定されるものではない。
【００５９】
上記の説明では、表示パネル２１と枠部２２とをユニット化した表示パネルユニット２として説明したが、これに限定されない。表示パネル２１と枠部２２とは、ユニット化されない別部品であってもよい。
【符号の説明】
【００６０】
１        表示装置
２        表示パネルユニット
２１      表示パネル
２２      枠部
２２１    壁部
２２１Ａ  角部
２２１Ｂ  角部
２２１Ｃ  角部
２２１Ｄ  角部（他の角部）
２２２    側壁部
２２３    位置決め部
３        タッチパネル（カバーパネル）
４        接着テープ（接着部材）
４１      接着テープ（接着部材）
４２      接着テープ（接着部材）
４３      接着テープ（接着部材）
４４      接着テープ（接着部材）
Ｓ１      連通路
Ｓ２      連通路
Ｓ３      連通路
【図１】
2019117327.tif 000003
【図２】
2019117327.tif 000004
【図３】
2019117327.tif 000005
【図４】
2019117327.tif 000006
【図５】
2019117327.tif 000007
【図６】
2019117327.tif 000008
【図７】
2019117327.tif 000009
【図８】
2019117327.tif 000010
【図９】
2019117327.tif 000011
【図１０】
2019117327.tif 000012